(57)【特許請求の範囲】
【請求項１】
消火剤貯蔵容器を備えた消火器であって、
透明又は半透明の樹脂によって成形される前記消火剤貯蔵容器と、
前記消火剤貯蔵容器の内周表面上に、外部から視認可能に配置されるとともに撮像部を備えた携帯端末により読み取られて復号され、かつ、前記消火器の製造年、前記消火器の設置位置ないし配置位置、前記消火器の点検や消火剤の交換についての予定時期、前記消火器の点検実績、前記設置位置ないし前記配置位置からの避難経路、前記消火器の使用方法、前記消火器の性能、火災現場から避難する際の注意事項、又は前記消火器が不法投棄されている場合の連絡先の群から選択される少なくとも１つの情報が蓄積されたデータベースを備えた所定サーバーへのアクセス情報がコード化されている二次元コードとを備える
消火器。
【請求項２】
前記二次元コードの外周に沿うように配置される蛍光物質を備える
請求項１に記載の消火器。
【請求項３】
前記二次元コードの周囲０．５ｍｍないし１０ｍｍの範囲に単一色で構成される無地部を備える
請求項１又は請求項２に記載の消火器。
【請求項４】
前記無地部が黒色、白色、又は灰色で構成される
請求項３に記載の消火器。
【請求項５】
消火器用の二次元コードであって、
透明又は半透明の樹脂によって成形される消火剤貯蔵容器の内周表面上に、外部から視認可能に配置されるとともに撮像部を備えた携帯端末により読み取られて復号され、かつ、前記消火器の製造年、前記消火器の設置位置ないし配置位置、前記消火器の点検や消火剤の交換についての予定時期、前記消火器の点検実績、前記設置位置ないし前記配置位置からの避難経路、前記消火器の使用方法、前記消火器の性能、火災現場から避難する際の注意事項、前記消火器が不法投棄されている場合の連絡先の群から選択される少なくとも１つの情報が蓄積されたデータベースを備えた所定サーバーへのアクセス情報がコード化されている
消火器用二次元コード。
【発明の詳細な説明】
【技術分野】
【０００１】
本発明は、消火器及び消火器用二次元コードに関するものである。
【背景技術】
【０００２】
消火器の管理の確実性ないし信頼性を向上させるため、ＩＣチップ部とこれに接続されたアンテナ部とを備えるデータキャリアを付設する消火器及び消火器管理システムが提案されている（例えば、特許文献１）。具体的には、ＩＣチップ部に個々の消火器の識別情報、製造年及び点検や消火薬剤の交換の予定時期などの各種データを非接触式のリーダライタによって書き込み、多数の消火器のデータを親コンピュータに記憶させる。その後、点検時期や薬剤の交換時期が近付いた消火器を親コンピュータが抽出特定する。そして、その情報に基づいて係員が消火器の設置場所に行き、点検又は交換した日付をリーダライタによってＩＣチップ部に書込み、かつ、その日付を子コンピュータに一時記憶させた後、子コンピュータから親コンピュータに転送する。
【０００３】
上述のような構成により、消火器の管理に必要なデータをＩＣチップ部に予め書込んでおくとともに、親コンピュータに蓄積された同一データに基づき定期的な点検や薬剤交換の時期が確実に分かるようになる。その結果、消火器の点検漏れや薬剤交換漏れを確実になくすことができ、かつ、消火器の配置場所が容易に把握できるので、点検や薬剤交換作業を容易かつ能率的に行える。
【先行技術文献】
【特許文献】
【０００４】
【特許文献１】特開平１０−７９００３号公報
【発明の概要】
【発明が解決しようとする課題】
【０００５】
しかしながら、上述の消火器及び消火器管理システムは、ＩＣチップ部への書き込みやＩＣチップ部からの読み取りを行うために、専用のリーダライタを必要とする。従って、特に、そのような専用機器を持たない一般の消火器利用者にとっては、例えば火災発生時のような緊急事態に、その消火器が使用できるか否かを判断することが実質的に不可能である。また、比較的高価なＩＣチップを利用することを前提としているため、一般的な消火器単体の販売額を考慮すれば、そのようなＩＣチップを採用することはコスト的な負担が少なくない。更にＩＣチップの場合、平担度の高い場所に配置する必要があるため、その取付け場所を確保するための加工が必要であったり、その取付け場所が制限されていた。
【０００６】
また、上述の消火器及び消火器管理システムでは、ＩＣチップ部に書き込まれたりＩＣチップ部から読み出される情報は、製造年や点検や消火薬剤の交換の予定時期等の点検業者ないし管理業者向けの情報であるため、一般の消火器の利用者及び／又はその消火器を見つけた者に必要な情報を表示又は送信（以下、提供ともいう。）するものではない。従って、上述のような消火器及び消火器管理システムにおけるＩＣチップ部は、少なくとも一般の消火器利用者にとって価値のあるものではない。
【０００７】
さらに、上述の消火器ではＩＣチップ部が安全栓に埋設されているが、一般的な消火器利用者は、安全栓よりも消火器本体、特に消火剤貯蔵容器の外周に目が行くため、その存在に気がつかない虞がある。また、ＩＣチップ部が安全栓に埋設されていると、安全栓が取り外されることによってそのＩＣチップ部は消火器本体から分離してしまうため、その取り外し後にＩＣチップ部と消火器本体との関係が切れることになる。そうすると、その消火器又はその他の情報が提供されなくなる。加えて、消火器が使用された状態、すなわち安全栓が取り外された状態で不法投棄されると、誰が何処で所有していたものかを追跡することが不可能となる。
【課題を解決するための手段】
【０００８】
本発明は、上述の各々の技術課題を解決することにより、必要な情報を簡便に、かつ比較的安価で提供することができる消火器の実現に大きく貢献するものである。
【０００９】
発明者らは、上述の専用のリーダライタを用いて情報が取得される場合、消火器という生活空間に身近にあるものが、例えば火災という緊急時に一般的な消火器の利用者に有益な情報源となり得ないと判断した。また、例えば我が国では、消防法により、所定間隔毎に消火器の設置が義務付けられている。このため、発明者らは、消火器を利用する又はその消火器を見つけた一般人に必要な情報を提供することは、特に火災時等の緊急時において極めて有益であると考えた。
【００１０】
しかし、消火器が設置される環境は千差万別であるのに加え、その耐用年数が通常８年と長期間であるため、ＩＣチップのような精密な部品の採用は情報提供システム全体の信頼性及びコストに少なからず影響を与えることになる。加えて、その情報源が消火器の利用時に消火器本体から取外されると、折角の情報源が必要なときに利用できなくなるという事態も生じ得る。そこで、発明者らは、既に一般に広く利用されている携帯端末等によって読み取ることができるだけでなく、安定して比較的安価に、消火器の利用者又はその消火器を見つけた者に提供できる情報源を備えた消火器の構造を鋭意研究した。その結果、情報源自体及びその情報源の配置を工夫することにより、例えば、火災時のような緊急時においても一般の消火器利用者又はその消火器をも見つけた者に対して安定的に有益な情報を提供し得る消火器が実現されることを見出した。本発明は、上述のような視点に基づいて創出された。
【００１１】
本発明の１つの消火器は、消火剤貯蔵容器と、その消火剤貯蔵容器の外周表面の上方に配置される透明部材又は半透明部材と、その消火剤貯蔵容器と前述の透明部材又は前述の半透明部材との間に外部から視認可能に配置されるとともに撮像部を備えた携帯端末により読み取られて復号され、かつ、所定の情報が蓄積されたデータベースを備えた所定サーバーへのアクセス情報がコード化されている二次元コードとを備える。
【００１２】
この消火器によれば、二次元コードが、例えば市販のカメラ付き携帯電話に代表される携帯端末によって読み取られて復号されることから、特に、消火器を利用する又は消火器を見つけた一般の人々が二次元コード化された情報源に基づいて所定サーバーへアクセスできるため、データベースに蓄積された情報を簡便に入手することができる。従って、この消火器は、種々の情報を簡便に、かつ比較的安価で提供することができる。
【００１３】
加えて、この消火器によれば、二次元コードが消火剤貯蔵容器と透明部材又は半透明部材との間に配置されていることから、簡単に二次元コードが消火器から取り外されることがない。従って、二次元コードにより得られる情報が、例えば火災などの緊急時にも安定的に提供され得る。
【００１４】
また、本発明のもう１つの消火器は、透明又は半透明の樹脂によって成形される消火剤貯蔵容器と、前述の消火剤貯蔵容器の内周表面上に、外部から視認可能に配置されるとともに撮像部を備えた携帯端末により読み取られて復号され、かつ、所定の情報が蓄積されたデータベースを備えた所定サーバーへのアクセス情報がコード化されている二次元コードとを備える。
【００１５】
この消火器によれば、二次元コードが、例えば、市販のカメラ付き携帯電話に代表される携帯端末によって読み取られて復号されることから、特に、消火器を利用する又は消火器を見つけた一般の人々が二次元コード化された情報源に基づいて所定サーバーへアクセスできるため、データベースに蓄積された情報を簡便に入手することができる。従って、この消火器は、種々の情報を簡便に、かつ比較的安価で提供することができる。
【００１６】
加えて、この消火器によれば、二次元コードが消火剤貯蔵容器の内周表面上に配置されていることから、二次元コードが消火器の外部から取り外されることがない。従って、二次元コードにより得られる情報が、例えば火災などの緊急時にも安定的に提供され得る。
【００１７】
また、本発明のもう１つの消火器は、消火剤貯蔵容器と、その消火剤貯蔵容器の外周表面上又はその上方に配置される被覆部材とを備える。その上で、前述の被覆部材が、撮像部を備えた携帯端末により読み取られて復号され、かつ、所定の情報が蓄積されたデータベースを備えた所定サーバーへのアクセス情報がコード化されている二次元コードを備える。
【００１８】
この消火器によれば、二次元コードが、例えば、市販のカメラ付き携帯電話に代表される携帯端末によって読み取られて復号されることから、特に、消火器を利用する又は消火器を見つけた一般の人々が二次元コード化された情報源に基づいて所定サーバーへアクセスできるため、データベースに蓄積された情報を簡便に入手することができる。従って、この消火器は、種々の情報を簡便に、かつ比較的安価で提供することができる。
【００１９】
加えて、この消火器によれば、二次元コードが消火剤貯蔵容器の外周表面上又はその上方に配置される被覆部材によって備えられることから、二次元コードが簡単に消火器から取り外されることがない。従って、二次元コードにより得られる情報が、例えば火災などの緊急時にも安定的に提供され得る。
【００２０】
また、本発明の１つの消火器用二次元コードは、消火剤貯蔵容器とその消火剤貯蔵容器の外周表面の上方に配置される透明部材又は半透明部材との間に、外部から視認可能に配置とともに撮像部を備えた携帯端末により読み取られて復号され、かつ、所定の情報が蓄積されたデータベースを備えた所定サーバーへのアクセス情報がコード化されている。
【００２１】
この消火器用二次元コードによれば、例えば市販のカメラ付き携帯電話に代表される携帯端末によって読み取られて復号されることから、特に、消火器を利用する又は消火器を見つけた一般の人々が二次元コード化された情報源に基づいて所定サーバーへアクセスできるため、データベースに蓄積された情報を簡便に入手することができる。従って、この消火器用二次元コードは、種々の情報を簡便に、かつ比較的安価で提供することができる。
【００２２】
加えて、この消火器用二次元コードによれば、消火剤貯蔵容器と消火剤貯蔵容器の外周表面の上方に配置される透明部材又は半透明部材との間に配置されていることから、簡単に消火器用二次元コードが消火器から取り外されることがない。従って、消火器用二次元コードにより得られる情報が、例えば火災などの緊急時にも安定的に提供され得る。
【００２３】
また、本発明のもう１つの消火器用二次元コードは、透明又は半透明の樹脂によって成形される消火剤貯蔵容器の内周表面上に、外部から視認可能に配置されるとともに撮像部を備えた携帯端末により読み取られて復号されかつ、所定の情報が蓄積されたデータベースを備えた所定サーバーへのアクセス情報がコード化されている。
【００２４】
この消火器用二次元コードによれば、例えば市販のカメラ付き携帯電話に代表される携帯端末によって読み取られて復号されることから、特に、消火器を利用する又は消火器を見つけた一般の人々が二次元コード化された情報源に基づいて所定サーバーへアクセスできるため、データベースに蓄積された情報を簡便に入手することができる。従って、この消火器用二次元コードは、種々の情報を簡便に、かつ比較的安価で提供することができる。
【００２５】
加えて、この消火器用二次元コードによれば、消火剤貯蔵容器の内周表面上に配置されていることから、この消火器用二次元コードが消火器の外部からから取り外されることがない。従って、消火器用二次元コードにより得られる情報が、例えば火災などの緊急時にも安定的に提供され得る。
【００２６】
また、この消火器用二次元コードは、消火剤貯蔵容器の外周表面上又はその上方に配置される被覆部材によって備えられるとともに撮像部を備えた携帯端末により読み取られて復号され、かつ、所定の情報が蓄積されたデータベースを備えた所定サーバーへのアクセス情報がコード化されている。
【００２７】
この消火器用二次元コードによれば、例えば、市販のカメラ付き携帯電話に代表される携帯端末によって読み取られて復号されることから、特に、消火器を利用する又は消火器を見つけた一般の人々が二次元コード化された情報源に基づいて所定サーバーへアクセスできるため、データベースに蓄積された情報を簡便に入手することができる。従って、この消火器用二次元コードは、種々の情報を簡便に、かつ比較的安価で提供することができる。
【００２８】
加えて、この消火器用二次元コードによれば、消火剤貯蔵容器の外周表面上又はその上に配置される被覆部材によって備えられることから、簡単に消火器用二次元コードが消火器から取り外されることがない。従って、消火器用二次元コードにより得られる情報が、例えば火災などの緊急時にも安定的に提供され得る。
【００２９】
ところで、本出願において「半透明」とは、全光線透過率が７５％超１００％未満を意味する。
【発明の効果】
【００３０】
本発明の１つの消火器及び１つの消火器用二次元コードによれば、特に、消火器を利用する又は消火器を見つけた一般の人々が二次元コード化された情報源に基づいて所定サーバーへアクセスできるため、データベースに蓄積された情報を簡便に入手することができる。従って、この消火器及び消火器用二次元コードは、種々の情報を簡便に、かつ比較的安価で提供することができる。さらに、簡単にその二次元コードが消火器から取り外されることがないため、サーバーへのアクセスによって得られる情報が、例えば火災などの緊急時にも安定的に提供され得る。
【図面の簡単な説明】
【００３１】
【図１】本発明の１つ実施形態の消火器を示す斜視図である。
【図２】本発明の１つの実施形態の消火器を構成する消火剤貯蔵容器、透明部材、及び二次元コードを示す断面図である。
【図３】本発明の１つの実施形態における二次元コードと、撮像部を備えた携帯端末と、所定サーバーとの関係を示す説明図である。
【図４】本発明の他の１つ実施形態の消火器を示す斜視図である。
【図５】本発明の他の１つの実施形態の消火器を構成する消火剤貯蔵容器、透明フィルム、及び二次元コードを示す断面図である。
【図６】本発明の他の１つ実施形態の消火器を示す斜視図である。
【図７】本発明の他の１つ実施形態の消火器を示す斜視図である。
【図８】本発明の他の１つの実施形態の消火器を構成する消火剤貯蔵容器及び二次元コードを示す断面図である。
【図９】本発明の他の１つ実施形態の消火器を示す斜視図である。
【図１０】本発明の他の１つの実施形態の消火器を構成する消火剤貯蔵容器、二次元コード、及び保護フィルムを示す断面図である。
【図１１】本発明の他の１つ実施形態の消火器を示す斜視図である。
【図１２】本発明の他の１つの実施形態の消火器を構成する消火剤貯蔵容器及び被覆部材を示す断面図である。
【図１３】本発明の他の１つの実施形態の消火器を構成する消火剤貯蔵容器、保護フィルム、及び被覆部材を示す断面図である。
【図１４】本実施形態の他の実施形態の消火器を構成する二次元コード及びその周囲の無地部を示す正面図である。
【発明を実施するための形態】
【００３２】
本発明の実施形態を、添付する図面に基づいて詳細に述べる。尚、この説明に際し、全図にわたり、特に言及がない限り、共通する部分には共通する参照符号が付されている。また、図中、本実施形態の要素は必ずしもスケール通りに示されていない。また、各図面を見やすくするために、一部の符号が省略されうる。
【００３３】
＜第１の実施形態＞
図１は、本実施形態の消火器１００を示す斜視図である。また、図２は、消火器１００を構成する消火剤貯蔵容器１１、透明部材１２、及び二次元コード１３を示す断面図である。
【００３４】
図１に示すように、本実施形態の消火器１００は、消火剤６０（例えば、粉末消火薬剤）が充填された消火剤貯蔵容器１１を備える。また、消火剤貯蔵容器１１の外周表面の上方には、透明部材１２と消火剤貯蔵容器１１との間に、外部から視認可能に配置される二次元コード１３が配置されている。加えて、本実施形態の消火器１００は、公知の消火器と同様、消火剤貯蔵容器１１の上方に配設される消火器用ハンドレバー３０と、消火剤貯蔵容器１１内に貯蔵される消火剤６０を消火器用ハンドレバー３０に導くためのサイホン管７０と、消火器用ハンドレバー３０を操作することによりサイホン管７０と流通可能に接続される消火剤ホース４０とを備える。
【００３５】
また、消火器用ハンドレバー３０は、蓋体３１、固定レバー３２、起動レバー３３、起倒杆３４、及び安全栓３５を備えている。本実施形態では、安全栓３５が起倒杆３４と係合することにより、起動レバー３３が固定レバー３２に対して回動不可能な状態に固定される。また、安全栓３５が起倒杆３４との係合状態から解放されると、起動レバー３３が固定レバー３２に対して回動可能な状態になる。
【００３６】
加えて、図１及び図２に示すとおり、本実施形態における消火剤貯蔵容器１１は、消火剤貯蔵部１１ａと、消火剤貯蔵部１１ａの上部に位置する開口部に形成される雄ネジ部１１ｂとで構成される。この雄ネジ部１１ｂと消火器用ハンドレバー３０とが螺合することにより、消火剤貯蔵容器１１と消火器用ハンドレバー３０とが固定される。尚、消火剤貯蔵容器１１と消火器用ハンドレバー３０との固定手段は、螺合に限られず、公知の接合手段が適用され得る。
【００３７】
本実施形態の透明部材１２は銘板を兼ねている。また、本実施形態の二次元コード１３は、透明部材１２と消火剤貯蔵容器１１との間に挟まれるように、消火剤貯蔵容器１１の外周表面に貼着されている。また、二次元コード１３は、消火剤貯蔵容器１１の曲面に合わせて配置されている。尚、本実施形態において、消火剤貯蔵容器１１の曲面の曲率半径は、６０ｍｍとなっている。
【００３８】
このように、二次元コード１３が消火剤貯蔵容器１１と透明部材１２との間に配置されているため、二次元コード１３が消火器１００から簡単に取り外されることはない。従って、二次元コードにより得られる情報が、例えば火災などの緊急時にも安定的に提供され得る。なお、上述のように、透明な銘板により透明部材１２が形成されることにより、別途、二次元コード１３を消火剤貯蔵容器１１の間で挟み込むための部材を要しない。従って、材料費を軽減することができる。
【００３９】
本実施形態の二次元コード１３は、撮像部を備えた携帯端末８０（例えば、市販のカメラ付き携帯電話（図３参照））により読み取られて復号される。また、二次元コード１３は、サーバー９２（図３参照）へのアクセス情報がコード化されている。なお、二次元コード１３の具体例として、ＱＲコード（登録商標）や白色を除いた複数色を有する公知の二次元コード等が適用され得る。
【００４０】
次に、本実施形態の二次元コード１３の利用方法について説明する。図３は、二次元コード１３と、撮像部８１を備えた携帯端末８０と、サーバー９２との関係を示す説明図である。
【００４１】
携帯端末８０は、インターネット回線９１を介してサーバー９２と双方向通信可能になっている。また、サーバー９２は、データベース９３に接続されている。このデータベース９３は、複数の消火器１００の使用方法、その性能を説明する情報、火災現場から避難する際の注意事項を説明する情報、又は消火器１００が不法投棄されている場合の連絡先の情報を含む、消火や火災に関する有益な情報が蓄積されている。なお、前述のアクセス情報に加えて、その消火器１００の個体識別番号（以下、消火器識別情報ともいう。）が二次元コード化されている場合は、その製造年、その設置位置ないし配置位置、その点検や消火剤の交換についての予定時期の情報、又は点検実績の情報に加え、その消火器１００の設置位置ないし配置位置からの避難経路という火災発生時に極めて有益な情報もデータベース９３内に記録され得る。
【００４２】
上述の二次元コード１３を利用する際、先ず携帯端末８０の撮像部８１により二次元コード１３が撮像される。二次元コード１３が撮像されると、二次元コード１３にコード化されたサーバー９２へのアクセス情報が携帯端末８０により読み取られて復号される。この復号されたサーバー９２へのアクセス情報により、携帯端末８０がインターネット回線９１を介して所定の情報が蓄積されたデータベース９３を備えるサーバー９２に接続される。
【００４３】
ここで、データベース９３が、消火器１００の使用方法、その性能を説明する情報、火災現場から避難する際の注意事項を説明する情報、又は消火器１００が不法投棄されている場合の連絡先の情報が蓄積されている場合は、それらの少なくとも１つの情報がインターネット回線９１を介して携帯端末８０に表示又は送信（換言すれば、提供）される。他方、前述のアクセス情報に加えて、その消火器１００の個体識別番号も二次元コード化されている場合は、サーバー９２は、携帯端末８０により復号された消火器識別情報に対応した消火器１００の情報（例えば、消火器１００の設置位置ないし配置位置やその消火器１００の設置位置ないし配置位置からの避難経路）を携帯端末８０に提供することができる。なお、サーバー９２内に、上述の各情報を携帯端末８０に送信する公知の自動送信手段（図示しない）が備えられていてもよい。また、最初にサーバー９２にアクセスした際に、自動送信手段により、少なくとも２つ以上の静的情報の目次がその携帯端末８０に提供された後、携帯端末８０の表示部（図示しない）上に表示された前述の目次の中から１つ又は複数の目次が選択されても良い。その場合には、その選択された１つ又は複数の目次の詳細情報が、インターネット回線９１を介してサーバー９２から携帯端末８０に提供される。
【００４４】
ところで、データベース９３に蓄積される情報は、消火器１００ではなくサーバー９２内のデータを追加、削除する等の処理を行うことにより、適宜、最新情報等に書き換えることが可能である。従って、サーバー９２が備えるデータベース９３に蓄積される各種の情報は、非常に簡便にアップデートや追加、削除されることが可能となるため、質、量ともに、その情報提供の自由度が向上する。なお、上述の最新情報には、例えば消火器１００の点検業者ないし管理業者によって取得されたその点検の結果情報が含まれる。
【００４５】
本実施形態では、上述の二次元コード１３、撮像部８１を備えた携帯端末８０、及びサーバー９２の関係が形成されることにより、特に、消火器１００を利用する又は消火器１００を見つけた一般の人々が、専用の機器を用いることなく、データベース９３に蓄積された情報を簡便に入手することができる。従って、この消火器１００及び消火器用の二次元コード１３は、種々の情報を簡便に、かつ比較的安価で提供する情報源となる。さらに、簡単にその二次元コード１３が消火器１００から取り外されることがないため、サーバー９２へのアクセスによって得られる情報が、例えば火災などの緊急時にも安定的に提供され得る。
【００４６】
加えて、仮に、消火器１００の個体識別番号が二次元コード化されている場合は、消火器１００が不法に投棄されていても、消火器１００の二次元コード１３の情報から、消火器１００の本来の（データベース９３に蓄積されている）設置位置ないし配置位置を追跡することもできる。また、消火器１００が不法投棄されている場合の連絡先の情報に基づいて適切に連絡することができる。更に、火災発生時には、その消火器１００の設置位置ないし配置位置からの避難経路を知らせて、速やかに避難させることができる。
【００４７】
なお、データベース９３に蓄積される情報については、情報の種類別にアクセス制限を設けても良い。具体的には、消火器１００の製造年、その消火器１００の点検や消火剤の交換の予定時期の情報に対してアクセス制限が設けられてもよい。これにより、点検業者ないし管理業者のみが、その製造年及びその点検や消火剤の交換の予定時期の情報を得ることができる。
【００４８】
＜第２の実施形態＞
図４は、本実施形態の消火器２００を示す斜視図である。また、図５は、消火器２００を構成する消火剤貯蔵容器１１、透明部材としての透明フィルム２１２、及び二次元コード１３を示す断面図である。
【００４９】
本実施形態の消火器２００は、第１の実施形態の透明部材１２の代わりに透明フィルム２１２を備える点以外は、第１の実施形態の消火器１００と同じ構成を備える。従って、第１の実施形態と重複する説明は省略され得る。
【００５０】
図４及び図５に示すとおり、透明フィルム２１２は、消火剤貯蔵容器１１の側面の外周表面を覆うように装着される。この透明フィルム２１２は、伸縮性又は熱収縮性のフィルムで構成される。このため、透明フィルム２１２は、消火剤貯蔵容器１１又は二次元コード１３に密着した状態で装着される。この透明フィルム２１２は、銘板としての機能を有していても良い。透明フィルム２１２が銘板としての役割を兼ねる場合は、別途、銘板用の部材を用意する必要がないため、材料費の軽減が図られる。なお、消火剤貯蔵容器１１が衝撃又は設置環境等から保護され得るため、本実施形態の透明フィルム２１２を採用することは好ましい一態様である。
【００５１】
＜第３の実施形態＞
図６は、本実施形態の消火器３００を示す斜視図である。
【００５２】
本実施形態の消火器３００は、消火剤貯蔵容器１１上に塗布される蛍光物質３１４をさらに備える点以外は、第１の実施形態の消火器１００と同じ構成を備える。従って、第１の実施形態と重複する説明は省略され得る。
【００５３】
図６に示すとおり、蛍光物質３１４は、二次元コード１３の外周に沿うように配置されている。この蛍光物質３１４の配置により、二次元コード１３を目立たせることができる。このため、消火器の利用者又はその消火器を見つけた者に極めて容易に二次元コード１３の存在を認識させることができるため、二次元コード１３の活用を促進させることができる。加えて、たとえ薄暗い部屋の中に消火器３００が配置されていても、蛍光物質３１４が視認され易くなる。なお、本実施形態において、蛍光物質３１４が消火剤貯蔵容器１１上に塗布されているが、蛍光物質３１４を含有するフィルム状部材が消火剤貯蔵容器１１上に貼着されても、本実施形態の効果と実質的に同等の効果が奏される。
【００５４】
＜第４の実施形態＞
図７は、本実施形態の消火器４００を示す斜視図である。また、図８は、消火器４００を構成する消火剤貯蔵容器４１１及び二次元コード１３を示す断面図である。
【００５５】
本実施形態の消火器４００は、第１の実施形態の消火剤貯蔵容器１１の代わりに透明ないし半透明で略球面状の底部を有する樹脂製の消火剤貯蔵容器４１１を備え、二次元コード１３が消火剤貯蔵容器４１１の内周表面上に配置されている。また、消火器４００は、消火剤貯蔵容器４１１の底部を支持する支持台４５０をさらに備える。これらの点以外は、第１の実施形態の消火器１００と同じ構成を備える。従って、第１の実施形態と重複する説明は省略され得る。
【００５６】
本実施形態の消火剤貯蔵容器４１１は、透明ないし半透明のポリエチレンナフタレート（ＰＥＮ）によって形成されている。消火剤貯蔵容器４１１は、延伸ブロー成形、溶融成形などの従来公知の樹脂成形方法により製造することができるが、この中でも、継ぎ目がなく、成形状態が良好で、かつ適度な肉厚の容器が得られる点で、延伸ブロー成形が好ましい。また、本実施形態の消火剤貯蔵容器４１１は、第１の実施形態の消火剤貯蔵容器１１と同様に、消火剤貯蔵部４１１ａと、消火剤貯蔵部４１１ａの上部に位置する開口部に形成される雄ネジ部４１１ｂとを有する。加えて、消火剤貯蔵容器４１１の底部は、略球面状に形成されている。この形状により、底部のいずれの箇所に対しても消火剤貯蔵容器４１１内の圧力が均一にかかるため、内圧の偏りが防止され得る。従って、消火剤貯蔵容器４１１の破損が確度高く防止され得る。
【００５７】
図７及び図８に示すとおり、二次元コード１３は、接着剤等の公知の接着手段により、消火剤貯蔵容器４１１の内周表面上に貼着される。なお、消火剤貯蔵容器４１１が透明ないし半透明のポリエチレンナフタレート（ＰＥＮ）で形成されているため、二次元コード１３が外部から視認され得る。
【００５８】
上述のとおり、本実施形態では、二次元コード１３が消火剤貯蔵容器４１１の内部に配置されるため、二次元コード１３が消火器４００の外部から取り外されることがない。従って、二次元コードにより得られる情報が、例えば火災などの緊急時にも安定的に提供され得る。
【００５９】
＜第５の実施形態＞
図９は、本実施形態の消火器５００を示す斜視図である。また、図１０は、消火器５００を構成する消火剤貯蔵容器４１１、二次元コード１３、及び保護フィルム５１５を示す断面図である。
【００６０】
本実施形態の消火器５００は、保護フィルム５１５をさらに備える点以外は、第４の実施形態の消火器４００と同じ構成を備える。従って、第４の実施形態と重複する説明は省略され得る。
【００６１】
図９及び図１０に示すとおり、本実施形態の消火器５００は、消火剤貯蔵容器４１１の内周表面上に貼着された二次元コード１３上に配置される保護フィルム５１５を備える。この保護フィルム５１５は消火剤貯蔵容器４１１及び二次元コードに対し、貼着されている。また、この保護フィルム５１５の材料例としては、ポリエチレンテレフタレート（ＰＥＴ）が挙げられる。これにより、二次元コード１３が消火剤６０と直接接触することが防止される。従って、消火剤６０及び二次元コード１３の劣化の進度を遅延させ得る。
【００６２】
＜第６の実施形態＞
図１１は、本実施形態の消火器６００を示す斜視図である。また、図１２は、消火器６００を構成する消火剤貯蔵容器１１及び被覆部材６１２を示す断面図である。
【００６３】
本実施形態の消火器６００は、第１の実施形態の透明フィルム１２及び二次元コードの代わりに被覆部材６１２を備える点以外は、第１の実施形態の消火器１００と同じ構成を備える。従って、第１の実施形態と重複する説明は省略され得る。
【００６４】
図１１及び図１２に示すとおり、本実施形態の消火器６００は、消火剤貯蔵容器１１の外周表面上に配置される被覆部材６１２を備える。また、この被覆部材６１２は、二次元コード６１３を備える。尚、この二次元コード６１３は、第１の実施形態の二次元コード１３と構成と機能を備えている。また、被覆部材６１２の二次元コード１３を備える部分以外は、模様や色彩を備えていても良い。
【００６５】
上述の構成により、二次元コード６１３が被覆部材６１２と一体化されているため、消火器６００から簡単に取り外されることはない。従って、二次元コード６１３により得られる情報が、例えば火災などの緊急時にも安定的に提供され得る。尚、二次元コード６１３の上方には、第１の実施形態で用いられる透明部材１２又は第２の実施形態で用いられる透明フィルム２１２が備えられていても良い。このように透明部材１２又は透明フィルム２１２を備えることにより、二次元コード６１３を外部からの物理的又は化学的な影響を緩和することができる。但し、材料費を抑えるためには、透明部材１２又は透明フィルム２１２を備えない構成が採用され得る。
【００６６】
＜第７の実施形態＞
図１３は、本実施形態の消火器７００を構成する消火剤貯蔵容器１１、保護フィルム７１５、及び被覆部材６１２を示す断面図である。
【００６７】
本実施形態の消火器７００は、第６の実施形態の消火剤貯蔵容器１１と被覆部材６１２との間に保護フィルム７１５をさらに備える点以外は、第６の実施形態の消火器６００と同じ構成を備える。従って、第６の実施形態と重複する説明は省略され得る。
【００６８】
図１３に示すとおり、本実施形態の消火器７００は、消火剤貯蔵容器１１の外周表面上に配置される保護フィルム７１５と、保護フィルム７１５の外周表面上に配置される被覆部材６１２とを備える。この被覆部材６１２は、上述のとおり、二次元コード６１３を備えている。従って、二次元コード６１３が消火器７００から簡単に取り外されることはない。従って、二次元コード６１３により得られる情報が、例えば火災などの緊急時にも安定的に提供され得る。加えて、消火剤貯蔵容器１１が保護フィルム７１５により保護されているため、消火剤貯蔵容器１１を外部からの物理的又は化学的な影響を緩和することができる。但し、材料費を抑えるためには、保護フィルム７１５を備えない構成が採用され得る。
【００６９】
＜第８の実施形態＞
図１４は、本実施形態の消火器を構成する二次元コード８１３及びその周囲の無地部８１６を示す正面図である。
【００７０】
本実施形態の消火器８００は、第１の実施形態の二次元コード１３の代わりに二次元コード８１３及び無地部８１６を備える点以外は、第１の実施形態の消火器１００と同じ構成を備える。従って、第１の実施形態と重複する説明は省略され得る。
【００７１】
本実施形態の二次元コード８１３は、その周囲に単一色で構成される無地部８１６を備える。これにより、二次元コード８１３を目立たせることができる。このため、消火器の利用者又はその消火器を見つけた者に極めて容易に二次元コード８１３の存在を認識させることができるため、二次元コード８１３の活用を促進させることができる。なお、二次元コード８１３を目立たせる観点から、図１４中のｔ１ないしｔ４が０．５ｍｍないし１０ｍｍの範囲と設定されることが好ましい。加えて、二次元コード８１３をより目立たせる観点から、二次元コード８１３が白色及び黒色の二色で構成されている場合には、無地部８１６が白色又は灰色で構成されることが好ましい。さらに、同様の観点から、二次元コード８１３が赤色、青色、又は黄色を含む場合には、無地部８１６が黒色、白色、又は灰色で構成されることが好ましい。中でも白色で構成されることが特に好ましい。
【００７２】
＜その他の実施形態＞
ところで、上述したいずれの実施形態においても、消火器１００，２００，３００，４００，５００，６００，７００，８００自身が多くの情報を保有するのではなく、それらの情報に接続するための起点となる情報を備えている。従って、市販のカメラ付き携帯電話に代表される携帯端末８０の利用者は、消火器１００，２００，３００，４００，５００，６００，７００，８００に備えられた二次元コード１３，６１３，８１３を利用して、種々の情報を簡便に入手することができる。一方、サーバーが備えるデータベースに蓄積される情報は、非常に簡便にアップデートや追加又は削除されることが可能となるため、質、量ともに、その情報提供の自由度が向上する。
【００７３】
また、上述した各実施形態において、消火剤貯蔵容器１１，４１１の曲面の曲率半径を６０ｍｍとしているが、これに限定されない。消火剤貯蔵容器１１，４１１の曲面に合わせて配置される二次元コード１３，６１３，８１３が携帯端末８０により読み取られて復号される範囲内で、消火剤貯蔵容器１１，４１１の曲面の曲率は適宜変更され得る。
【００７４】
また、第1の実施形態以外の実施形態においても、サーバー９２へのアクセス情報及び／又は消火器情報がコード化された二次元コード１３，６１３，８１３が採用され得る。但し、アクセス情報に加えて消火器識別情報も二次元コード化されることは、消火器の製造年、消火器の点検（点検者、点検結果、及び点検時期を含む。）や消火剤の交換についての予定時期の情報に加え、その消火器の設置位置ないし配置位置からの避難経路という火災発生時に極めて有益な情報もデータベース９３に記録され得るため、好ましい一態様である。
【００７５】
また、上述した第１ないし第３、第８の実施形態において、消火剤貯蔵容器１１の外周表明の上方に配置される透明部材１２、透明フィルム２１２が採用されているが、これに限定されない。透明部材１２の代わりに半透明の部材が採用され、又は透明フィルム２１２の代わりに半透明のフィルムが採用されても、二次元コード１３，６１３，８１３が外部から視認可能に配置されるとともに、撮像部８１を備えた携帯端末８０により読み取られ得る限り、上述の各実施形態の少なくとも一部の効果が奏される。但し、二次元コード１３，６１３，８１３の携帯端末８０による認識を容易にする観点から、透明部材１２又は透明フィルム２１２が採用される方が好ましい。特に、全光線透過率が７５％以上の透明フィルムが採用されることが好ましい。
【００７６】
また、上述した第４及び第５の実施形態では、透明ないし半透明の消火剤貯蔵容器４１１が採用されている。ここで、撮像部８１を備えた携帯端末８０により読み取り可能とするとともに、収められている消火剤が消火剤貯蔵容器の内壁面に付着している状態を見えにくくするため、好ましい消火剤貯蔵容器の全光線透過率は７５％超９５％未満となる半透明部材である。なお、撮像部８１を備えた携帯端末８０による読み取りのみに着眼すれば、好ましい消火剤貯蔵容器の全光線透過率は８０％以上となる半透明部材である。
【００７７】
また、上述した第２、第４ないし第８の実施形態における消火器２００，４００，５００，６００，７００，８００であっても、第３の実施形態のように、二次元コード１３の外周に沿うように蛍光物質３１４が配置されることにより、第３の実施形態の効果が奏される。二次元コード１３，６１３，８１３をより目立たせる観点から言えば、蛍光物質３１４が二次元コードの外周に沿うように配置されることは好ましい一態様である。但し、材料費を低減するためには、蛍光物質３１４を用いないことも採用され得る。
【００７８】
また、上述した第４及び第５の実施形態において、消火剤貯蔵容器４１１を構成する材料としてポリエチレンナフタレート（ＰＥＮ）が採用されていたが、これに限定されない。例えば、ポリエチレンテレフタレート（ＰＥＴ）であっても、略同様の効果が奏される。また、例えば、ジカルボン酸成分として主にナフタレンジカルボン酸又はテレフタル酸、ジオール成分として主にエチレングリコール又はブタンジオールを用いて重縮合させて得られたポリエステル樹脂又はこれらのポリエステル樹脂を主とする材料が消火剤貯蔵容器４１１の材料として採用されても、第４及び第５の実施形態の効果と同様の効果が奏され得る。換言すれば、共重合ポリエステル樹脂であれば、第４及び第５の実施形態の効果と同様の効果が奏され得る。
【００７９】
また、他の採用し得る材料の一例として、ポリエチレンやポリプロピレンなどのポリオレフィン、ポリフェニレンスルファイド、ポリスチレン、又はポリカーボネートが挙げられる。但し、上述の全ての材料の中でも、ポリエチレンテレフタレート（ＰＥＴ）やポリエチレンナフタレート（ＰＥＮ）を採用することが、強度の観点から好ましい。また、透明性を高めるためには、ポリエチレンナフタレート（ＰＥＮ）を単独で、又はポリエチレンナフタレート（ＰＥＮ）を主とし、ポリエチレンテレフタレート（ＰＥＴ）を従とするブレンド材料が採用されることが好ましい。さらに、透明性、強度、及びガスバリア性の観点から、ポリエチレンナフタレート（ＰＥＮ）が単独で採用されることが最も好ましい。すなわち、ポリエチレンナフタレート（ＰＥＮ）を採用することにより、適度な透明性を維持しつつ高強度の消火剤貯蔵容器４１１がより確度高く得られる。
【００８０】
さらに、上述した第４及び第５の実施形態では、消火剤貯蔵容器４１１が延伸ブロー成形方法により製造されているが、これに限定されない。但し、透明性及び強度の観点からは、延伸ブロー成形方法により製造されることが好ましい。
【００８１】
以上、述べたとおり、各実施形態の他の組合せを含む本発明の範囲内に存在する変形例もまた、特許請求の範囲に含まれるものとする。
【産業上の利用可能性】
【００８２】
本発明は、消火器及び消火器用二次元コードとして広く利用され得る。
【符号の説明】
【００８３】
１１，４１１  消火剤貯蔵容器
１１ａ，４１１ａ  消火剤貯蔵部
１１ｂ，４１１ｂ  雄ネジ部
１２  透明部材
１３，６１３，８１３  二次元コード
３０  消火器用ハンドレバー
３１  蓋体
３２  固定レバー
３３  起動レバー
３４  起倒杆
３５  安全栓
４０  消火剤ホース
６０  消火剤
７０  サイホン管
８０  携帯端末
８１  撮像部
９１  インターネット回線
９２  サーバー
９３  データベース
１００，２００，３００，４００，５００，６００，７００，８００  消火器
２１２  透明フィルム
３１４  蛍光物質
４５０  支持台
５１５，７１５  保護フィルム
６１２  被覆部材
８１６  無地部
【図１】
0005401202.tif 000002
【図２】
0005401202.tif 000003
【図３】
0005401202.tif 000004
【図４】
0005401202.tif 000005
【図５】
0005401202.tif 000006
【図６】
0005401202.tif 000007
【図７】
0005401202.tif 000008
【図８】
0005401202.tif 000009
【図９】
0005401202.tif 000010
【図１０】
0005401202.tif 000011
【図１１】
0005401202.tif 000012
【図１２】
0005401202.tif 000013
【図１３】
0005401202.tif 000014
【図１４】
0005401202.tif 000015